(57)【要約】【課題】同一の連動論理データを用いて、時素カウント処理を含む連動検査時間の短縮を可能とする電子連動装置及び連動検査時間短縮方法を得ることを目的とする。【解決手段】連動論理データ格納部２３に格納された連動論理データを処理する連動処理プログラム実行部２２は、時素カウント完了時に時素経過完了フラグをセットし、時素経過完了フラグがセットされていることをチェックし、時素カウント完了後の処理を開始する。連動処理プログラム実行部２２は、時素カウントモード設定手段２１により短縮モードが設定されているときには、時素の経過時間を短縮してカウント処理して時素経過完了フラグをセットすることにより、時素カウント処理を含む連動検査時間の短縮を図ることができる。【選択図】        図１
2005007913.tif 000002
【特許請求の範囲】
【請求項１】
時素カウント処理を含む連動処理条件をあらかじめ連動論理データとして格納する連動論理データ格納部と、
前記連動論理データ格納部から取得した連動論理データにしたがって連動処理を実行する連動処理プログラム実行部と
を備え、列車の駅構内の信号制御関連の連動処理を行う電子連動装置において、
時素カウントモードとして通常モードまたは短縮モードのいずれかの設定を行う時素カウントモード設定手段をさらに備え、
前記連動処理プログラム実行部は、初期設定処理時に前記時素カウントモード設定手段により設定されたモードを読み取り、通常モードが設定されているときは時素カウントの経過時間の倍数を１倍とし、短縮モードが設定されているときは時素カウントの経過時間の倍数を１倍よりも大きい倍数として設定し、前記連動論理データ格納部から取得した連動論理データに時素カウント処理が含まれているときは、設定された経過時間の倍数に基づいて経過時間のカウント処理を実行することを特徴とする電子連動装置。
【請求項２】
初期設定処理時に設定されたモードが通常モードまたは短縮モードのいずれであるかを読み取るステップと、
通常モードが設定されているときは時素カウントの経過時間の倍数を１倍とし、短縮モードが設定されているときは時素カウントの経過時間の倍数を１倍よりも大きい倍数として設定するステップと、
取得した連動論理データに時素カウント処理が含まれているときは、時素の経過時間を設定された経過時間の倍数に基づいてカウントするステップと、
時素カウント完了にて時素経過完了フラグをセットするステップと、
時素経過完了フラグがセットされたことにより時素カウント処理に続く連動論理データを処理するステップと
を備えたことを特徴とする連動検査時間短縮方法。
【発明の詳細な説明】
【０００１】
【発明の属する技術分野】
本発明は、鉄道等において駅構内の信号処理関連の連動処理を行う電子連動装置に関し、特に電子連動装置の新設や変更に伴う連動検査を行う際の時間短縮に関するものである。
【０００２】
【従来の技術】
駅構内に電子連動装置を新設する、あるいは既設の電子連動装置を変更する場合には、あらかじめ連動処理が正しく行われるかを確認するための連動検査を行う必要がある。連動検査は、連動図表に記載された条件と電子連動装置の動作が一致しているかを検査するものである。検査項目はＪＩＳに定められており、例えば接近及び保留鎖錠並びに解錠時素、現示時素などに関する具体的な検査項目が決められている（例えば、非特許文献１参照）。電子連動装置では、連動図表に記載された条件をデータ化し、連動処理を行っている。このデータを連動論理データと呼び、駅毎に作成される。連動論理データの中には一定の時間経過をカウントする、いわゆる時素カウントの処理も含まれている。
【０００３】
【非特許文献１】
「連動装置」  日本鉄道電気技術協会発行（第１７１〜１９８頁）
【０００４】
【発明が解決しようとする課題】
従来の方法は、連動論理データに記載された時素カウント処理を含む検査を行うときには、時素の時間だけ検査時間が必要であり、連動検査に多くの時間を必要とする。また駅の規模に比例して検査項目も多くなり、これに伴って連動検査に必要な時間はさらに長くなり、電子連動装置の変更に伴う駅の工事期間が長期化してしまうという問題があった。
【０００５】
一方、連動検査時間を短縮するために、連動図表の条件すべてを含んだ連動論理データと、時素カウント処理のみを削除した連動論理データの２種類を作成し、時素カウント処理を含まない連動論理データを用いて連動検査を行った後に、時素カウント処理を含む連動論理データに置き換る方法が取られている。しかしこの方法では、時素カウント処理を含む連動論理データと時素カウント処理を含まない連動論理データの２種類を作成しなければならず、さらに２種類の連動論理データが時素カウント処理以外同じデータであることを保証する必要があるという問題があった。
【０００６】
本発明は上述のような課題を解決するためになされたもので、同一の連動論理データを用いて、時素カウント処理を含む連動検査時間の短縮を可能とする電子連動装置及び連動検査時間短縮方法を得ることを目的とする。
【０００７】
【課題を解決するための手段】
本発明に係る電子連動装置は、時素カウント処理を含む連動処理条件をあらかじめ連動論理データとして格納する連動論理データ格納部と、前記連動論理データ格納部から取得した連動論理データにしたがって連動処理を実行する連動処理プログラム実行部とを備え、列車の駅構内の信号制御関連の連動処理を行う電子連動装置であって、時素カウントモードとして通常モードまたは短縮モードのいずれかの設定を行う時素カウントモード設定手段をさらに備え、前記連動処理プログラム実行部は、初期設定処理時に前記時素カウントモード設定手段により設定されたモードを読み取り、通常モードが設定されているときは時素カウントの経過時間の倍数を１倍とし、短縮モードが設定されているときは時素カウントの経過時間の倍数を１倍よりも大きい倍数として設定し、前記連動論理データ格納部から取得した連動論理データに時素カウント処理が含まれているときは、設定された経過時間の倍数に基づいて経過時間のカウント処理を実行するものである。
【０００８】
【発明の実施の形態】
以下，本発明の実施の形態を図面に基づいて説明する。図１は、本発明の実施の形態に係る電子連動装置の構成図である。連動検査はＪＩＳに定められた項目について駅毎に手順書、チェックリストを作成し、その手順に従って連動検査を行う。
【０００９】
電子連動装置１１は、表示制御盤１３，連動処理部１２及び現場機器制御部１４を備えている。表示制御盤１３は連動処理部１２とつながれ、マンマシンインタフェースの役目を果たす。時素カウントモードの設定は、連動処理部１２の起動時に行われる。連動処理部１２は時素カウントモード設定手段２１を有し、時素カウントモード設定手段２１は例えばジャンパーピンの設定切り替えにより通常モードと短縮モードの二種類のモード設定を行う。
【００１０】
さらに連動処理部１２は、連動処理を行うための連動処理プログラム実行部２２を有している。連動処理プログラム実行部２２は、電源投入時に１回だけ走る初期設定処理の中で、時素カウントモード設定手段２１による時素カウントモードの設定状態を読み込み、時素カウントモードの設定を行う。電源投入時にのみ時素カウントモードの設定状態を読み込むため、連続運転開始後に時素カウントモードの設定を切り替えても、時素カウントモードは切り替わらない。したがって、運転の途中で通常モードから短縮モードに切り替わらないことを保証し、実負荷で、実用運転時における通常モードでの時素による解錠を保障することが可能になる。
【００１１】
連動処理プログラム実行部２２は、時素カウントにおける経過時間の倍数を通常モードでは１倍、短縮モードではあらかじめ定めた１倍よりも大きい倍数に設定する。すなわち、短縮モード設定時は経過時間の倍数を１倍よりも大きい倍数に設定することにより、時素カウント処理に要する時間の短縮を実現する。このようにプログラム自体は同一で、モード設定に応じて経過時間の倍数を変えることにより、連動検査用に別の関数・プログラムを準備する必要がない。また、検査時と通常時の処理が同じになり、実用運転時と同じ構成による連動検査が可能となる。
【００１２】
さらに連動処理部１２は、連動処理を行うための連動論理データが順番に格納されている連動論理データ格納部２３を有している。連動処理プログラム実行部２２は連動論理データ格納部２３に格納された連動論理データの順番にしたがって連動処理を実行する。連動処理プログラム実行部２２は連動論理データとして時素カウントの処理を行う際には、設定されたモードにしたがって初期設定処理で決定した経過時間の倍数を採用して連動処理を行う。連動処理プログラム実行部２２は設定された時素が経過したときには、時素経過完了フラグをセットする。時素経過完了フラグがセットされたことにより時素経過完了後の次の処理を開始する。
【００１３】
次に、短縮モードにおける経過時間の倍数があらかじめ１０倍に設定されている場合について説明する。あらかじめ時素カウントモード設定手段２１により短縮モードを設定しておく。次に電源投入により、連動処理プログラム実行部２２の初期設定処理が動作し、時素カウントモード設定手段２１の時素カウントモードの設定状態を読み込む。短縮モードが設定されているため、経過時間の倍数を１０倍に設定する。
【００１４】
これにより、連動処理プログラム実行部２２が時素カウントの処理を行う際には、連動論理データ格納部２３の論理格納データに設定されている時素の１０分の１の時間が経過したときに時素経過完了フラグをセットする。時素経過完了フラグがセットされたことにより、時素完了後の処理が開始可能となる。連動処理プログラム実行部２２は現場機器制御部１４に対して該当する制御指令を出し、現場機器制御部１４は制御指令にしたがって現場機器１５の制御を行う。
【００１５】
経過時間の設定倍数が１０倍であることがわかっているので、連動図表の時素の１０分の１の時間で接近鎖錠、保留鎖錠などの時素解錠が行われるかをチェックすることにより、連動論理データ格納部２３に設定されている時素の動作確認を行うことができる。これにより、検査時間の短縮が可能となり、さらに連動装置の変更時における工事期間の短縮も可能となる。
【００１６】
図２は、本発明の実施の形態に係る時素カウントモード設定に基づく経過時間の倍数設定のフローチャートである。短縮モードにおける経過時間の倍数としてはあらかじめ１０倍が設定されているものとする。まず始めに時素カウントモード設定手段２１により、連動処理を行う際の時素カウントモード設定を行う（Ｓ２０１）。所望のモード設定を終えた後に、連動処理部１２の電源を投入する（Ｓ２０２）。連動処理プログラム実行部２２は、電源投入後に１回だけ走る初期設定処理の中で、時素カウントモード設定手段２１による時素カウントモードの設定状態を読み込み、時素カウントモードの設定を行う（Ｓ２０３）。
【００１７】
連動処理プログラム実行部２２は、時素カウントモード設定が通常モードのときは経過時間の倍数を１倍に設定し（Ｓ２０４ａ）、時素カウントモード設定が短縮モードのときは経過時間の倍数を１０倍に設定する（Ｓ２０４ｂ）。さらに連動処理プログラム実行部２２は、設定された経過時間の倍数にしたがって連動処理を開始する（Ｓ２０５）。
【００１８】
図３は、本発明の実施の形態に係る短縮モード設定時における保留鎖錠解錠処理のフローチャートである。連動処理プログラム実行部２２は、連動論理データ格納部２３に格納された連動論理データを順次実行する１つとして、保留鎖錠解錠処理命令の実行を開始すると（Ｓ３０１）、まずは時素カウントの処理を開始する（Ｓ３０２）。ここでは図２で説明した初期設定処理により、短縮モードとして時間経過の倍数が１０倍に設定されているものとする。
【００１９】
連動処理プログラム実行部２２は、設定されている時素の１０分の１の経過時間をカウントし（Ｓ３０３）、時素経過完了フラグをセットする（Ｓ３０４）。さらに連動処理プログラム実行部２２は、時素経過完了フラグがセットされた後に現場機器制御部１４に対して解錠処理の開始指令を出す（Ｓ３０５）。現場機器制御部１４は、解錠処理開始指令に基づき現場機器１５を駆動し、最終的に保留鎖錠解錠処理が完了することとなる（Ｓ３０６）。
【００２０】
実施の形態によれば、電子連動装置において連動論理データを用いた連動処理を行う際に、時素カウントモード設定手段を用いることにより、通常モードまたは短縮モードのいずれかの設定が可能となる。連動検査時には、短縮モードを用いることにより、連動論理データの変更を行うことなく、時素の経過時間を短縮することが可能となり、連動検査時間の短縮が可能となる。これにより、時素カウント処理を含む連動論理データと時素カウント処理を含まない連動論理データの２種類を作成する必要がなく、短縮モードの設定で連動検査を行うことにより、同一の連動論理データを用いて短時間で一連の連動検査を完了することができる。結果として連動検査にかかる時間の短縮、作業負担の軽減及び工事期間の短縮が図られる。
【００２１】
【発明の効果】
以上のように、本発明によれば、時素カウントモード設定手段による設定に応じて時素の経過時間を短縮してカウントすることにより、同一の連動論理データを用いて、時素カウント処理を含む連動検査時間の短縮を可能とする電子連動装置及び連動検査時間短縮方法を得ることができる。
【図面の簡単な説明】
【図１】本発明の実施の形態に係る電子連動装置の構成図である。
【図２】本発明の実施の形態に係る時素カウントモード設定に基づく経過時間の倍数設定のフローチャートである。
【図３】本発明の実施の形態に係る短縮モード設定時における保留鎖錠解錠処理のフローチャートである。
【符号の説明】
１１  電子連動装置、１２  連動処理部、１３  表示制御盤、１４  現場機器制御部、１５  現場機器、２１  時素カウントモード設定手段、２２  連動処理プログラム実行部、２３  連動論理データ格納部。
【図１】
2005007913.tif 000003
【図２】
2005007913.tif 000004
【図３】
2005007913.tif 000005